(57)【要約】【課題】音声データの再生において、出力音量が異なる音声データの音量を自動的に適正な音量に設定し、再生すること。【解決手段】音声再生装置１は、制御部１０の制御下、操作部４０からの制御信号に応じて増幅部５０によって再生音量が調整された音声ファイルに対応する音楽ＤＢに登録されたレコードに設定された情報に基づいて、当該音声ファイルに関連する音声ファイルに対応する音楽ＤＢに登録されたレコードが有する「音量」の値を更新する。【選択図】図１
2008226351.tif 000002
【特許請求の範囲】
【請求項１】
音声を含むコンテンツデータを入力するデータ入力手段と、
前記データ入力手段によって入力された前記コンテンツデータ及び当該コンテンツデータに関する情報であるコンテンツ関連情報を記憶する記憶手段と、
前記記憶手段に記憶された前記コンテンツ関連情報が有する前記コンテンツデータの再生音量に関する情報である再生音量情報に基づいて前記記憶手段に記憶された前記コンテンツデータを再生する再生手段と、
前記再生手段によって再生される前記コンテンツデータの再生音量を調整する音量調整手段と、
前記音量調整手段によって再生音量が調整された前記コンテンツデータに対応する前記コンテンツ関連情報が有する情報に基づいて、当該コンテンツデータに関連する前記コンテンツデータに対応する前記記憶手段に記憶された前記コンテンツ関連情報が有する前記再生音量情報を更新するように制御する制御手段と、
を備えることを特徴とする音声再生装置。
【請求項２】
前記記憶手段に記憶された前記コンテンツ関連情報は、前記データ入力手段によって入力された前記コンテンツデータの入力元を一意に特定する情報であるデータ入力元ＩＤ情報を有し、
前記制御手段は、前記音量調整手段によって再生音量が調整された前記コンテンツデータに対応する前記コンテンツ関連情報が有する前記データ入力元ＩＤ情報が同一の値である前記記憶手段に記憶された前記コンテンツ関連情報が有する前記再生音量情報を更新するように制御すること、
を特徴とする請求項１に記載の音声再生装置。
【請求項３】
前記記憶手段に記憶された前記コンテンツ関連情報は、前記データ入力手段によって前記コンテンツデータが入力された時間に関する情報であるタイムスタンプ情報を有し、
前記制御手段は、前記音量調整手段によって再生音量が調整された前記コンテンツデータに対応する前記コンテンツ関連情報が有する前記タイムスタンプ情報が近似する値である前記記憶手段に記憶された前記コンテンツ関連情報が有する前記再生音量情報を更新するように制御すること、
を特徴とする請求項１に記載の音声再生装置。
【請求項４】
音声を含むコンテンツデータを入力するデータ入力工程と、
前記データ入力で入力された前記コンテンツデータ及び当該コンテンツに関する情報であるコンテンツ関連情報を記憶する記憶工程と、
前記記憶工程で記憶された前記コンテンツ関連情報が有する前記コンテンツデータの再生音量に関する情報である再生音量情報に基づいて前記記憶工程で記憶された前記コンテンツデータを再生する再生工程と、
前記再生工程で再生される前記コンテンツデータの再生音量を調整する音量調整工程と、
前記音量調整工程で再生音量が調整された前記コンテンツデータに対応する前記コンテンツ関連情報が有する情報に基づいて、当該コンテンツデータに関連する前記コンテンツデータに対応する前記記憶工程で記憶された前記コンテンツ関連情報が有する前記再生音量情報を更新するように制御する制御工程と、
を備えることを特徴とする音声再生方法。
【請求項５】
コンピュータを
音声を含むコンテンツデータを入力するデータ入力手段、
前記データ入力手段によって入力された前記コンテンツデータ及び当該コンテンツに関する情報であるコンテンツ関連情報を記憶する記憶手段、
前記記憶手段に記憶された前記コンテンツ関連情報が有する前記コンテンツデータの再生音量に関する情報である再生音量情報に基づいて前記記憶手段に記憶された前記コンテンツデータを再生する再生手段、
前記再生手段によって再生される前記コンテンツデータの再生音量を調整する音量調整手段、
前記音量調整手段によって再生音量が調整された前記コンテンツデータに対応する前記コンテンツ関連情報が有する情報に基づいて、当該コンテンツデータに関連する前記コンテンツデータに対応する前記記憶手段に記憶された前記コンテンツ関連情報が有する前記再生音量情報を更新するように制御する制御手段、
として機能させるためのプログラム。
【発明の詳細な説明】
【技術分野】
【０００１】
本発明は、音声再生装置、音声再生方法、及びプログラムに関する。
【背景技術】
【０００２】
近年、ＣＤ（Compact Disk）やＭＤ（Mini Disc）などの記録媒体から、若しくは外部回線を通じてインターネットからＰＣ（Personal Computer）等のコンピュータにダウンロードしたディジタル音声データをディジタルオーディオプレーヤ（Digital Audio Player：以下、ＤＡＰという。）等の音声再生装置へ転送ツールによって転送し、転送したディジタル音声データを当該ＤＡＰ等で再生できるシステムが知られている。
【０００３】
このようなシステムでは、ＰＣ等へダウンロードされるディジタル音声データは、データの出所やアナログ音声からディジタル音声データが作成されるまでの過程が異なるため、再生時にアナログ出力される音量がそれぞれ異なるものとなる。そのため、ＰＣ等から転送した音声データをＤＡＰ等で再生する際は、音声コンテンツごと（例えば、再生する楽曲ごと）に出力音量を調節して再生する必要があった。
【０００４】
特許文献１には、複数のＣＤ等に記録された各楽曲のピーク音量から適正な音量を判断して各楽曲を再生する再生装置が開示されている。特許文献２には、ユーザが以前聞いた音量と同じ音量で音声を再生するコンテンツ再生音量設定装置が開示されている。
【特許文献１】特開２００１−９３２３１号公報
【特許文献２】特開２００６−１２９２２３号公報
【発明の開示】
【発明が解決しようとする課題】
【０００５】
しかしながら、音声の種類によって（例えば、音楽であればジャンルによって）、適正な音量は異なるため、音声データのピーク音量から適正な音量を判断することは困難である。また、以前聞いた音量が適正な音量であるとは限らない。
【０００６】
本発明の課題は、音声データの再生において、出力音量が異なる音声データの音量を自動的に適正な音量に設定し、再生することである。
【課題を解決するための手段】
【０００７】
請求項１に記載の発明は、音声再生装置において、
音声を含むコンテンツデータを入力するデータ入力手段と、
前記データ入力手段によって入力された前記コンテンツデータ及び当該コンテンツに関する情報であるコンテンツ関連情報を記憶する記憶手段と、
前記記憶手段に記憶された前記コンテンツ関連情報が有する前記コンテンツデータの再生音量に関する情報である再生音量情報に基づいて前記記憶手段に記憶された前記コンテンツデータを再生する再生手段と、
前記再生手段によって再生される前記コンテンツデータの再生音量を調整する音量調整手段と、
前記音量調整手段によって再生音量が調整された前記コンテンツデータに対応する前記コンテンツ関連情報が有する情報に基づいて、当該コンテンツデータに関連する前記コンテンツデータに対応する前記記憶手段に記憶された前記コンテンツ関連情報が有する前記再生音量情報を更新するように制御する制御手段と、
を備えることを特徴とする。
【０００８】
請求項２に記載の発明は、請求項１に記載の音声再生装置において、
前記記憶手段に記憶された前記コンテンツ関連情報は、前記データ入力手段によって入力された前記コンテンツデータの入力元を一意に特定する情報であるデータ入力元ＩＤ情報を有し、
前記制御手段は、前記音量調整手段によって再生音量が調整された前記コンテンツデータに対応する前記コンテンツ関連情報が有する前記データ入力元ＩＤ情報が同一の値である前記記憶手段に記憶された前記コンテンツ関連情報が有する前記再生音量情報を更新するように制御すること、
を特徴とする。
【０００９】
請求項３に記載の発明は、請求項１に記載の音声再生装置において、
前記記憶手段に記憶された前記コンテンツ関連情報は、前記データ入力手段によって前記コンテンツデータが入力された時間に関する情報であるタイムスタンプ情報を有し、
前記制御手段は、前記音量調整手段によって再生音量が調整された前記コンテンツデータに対応する前記コンテンツ関連情報が有する前記タイムスタンプ情報が同一の値である前記記憶手段に記憶された前記コンテンツ関連情報が有する前記再生音量情報を更新するように制御すること、
を特徴とする。
【００１０】
請求項４に記載の発明は、音声再生方法において、
音声を含むコンテンツデータを入力するデータ入力工程と、
前記データ入力で入力された前記コンテンツデータ及び当該コンテンツに関する情報であるコンテンツ関連情報を記憶する記憶工程と、
前記記憶工程で記憶された前記コンテンツ関連情報が有する前記コンテンツデータの再生音量に関する情報である再生音量情報に基づいて前記記憶工程で記憶された前記コンテンツデータを再生する再生工程と、
前記再生工程で再生される前記コンテンツデータの再生音量を調整する音量調整工程と、
前記音量調整工程で再生音量が調整された前記コンテンツデータに対応する前記コンテンツ関連情報が有する情報に基づいて、当該コンテンツデータに関連する前記コンテンツデータに対応する前記記憶工程で記憶された前記コンテンツ関連情報が有する前記再生音量情報を更新するように制御する制御工程と、
を備えることを特徴とする。
【００１１】
請求項５に記載の発明は、
コンピュータを
音声を含むコンテンツデータを入力するデータ入力手段、
前記データ入力手段によって入力された前記コンテンツデータ及び当該コンテンツに関する情報であるコンテンツ関連情報を記憶する記憶手段、
前記記憶手段に記憶された前記コンテンツ関連情報が有する前記コンテンツデータの再生音量に関する情報である再生音量情報に基づいて前記記憶手段に記憶された前記コンテンツデータを再生する再生手段、
前記再生手段によって再生される前記コンテンツデータの再生音量を調整する音量調整手段、
前記音量調整手段によって再生音量が調整された前記コンテンツデータに対応する前記コンテンツ関連情報が有する情報に基づいて、当該コンテンツデータに関連する前記コンテンツデータに対応する前記記憶手段に記憶された前記コンテンツ関連情報が有する前記再生音量情報を更新するように制御する制御手段、
として機能させるプログラムであることを特徴とする。
【発明の効果】
【００１２】
本発明によれば、音声データの再生において、所定の音声データに関連する全ての音声データの音量を自動的に適正な音量に設定し、再生することができる。
【発明を実施するための最良の形態】
【００１３】
以下、図面を参照して本発明に係る実施の形態を説明する。ただし、発明の範囲は本実施の形態に限定されない。
【００１４】
［音声再生装置の構成］
まず、構成について説明する。
図１は、本実施の形態における音声再生装置の構成を示すブロック図である。音声再生装置１は大容量メモリを備え、このメモリに保存された音楽データ等の音声データを有するコンテンツデータを再生する携帯型の音声再生装置である。また、音声再生装置１は、外部機器と接続して当該外部機器から音声信号（アナログ信号）を入力し、その入力から音声データファイル（以下、録音ファイルという）を生成してメモリに保存する録音機能を有している。
【００１５】
図１に示すように、音声再生装置１は、制御部１０、記憶部２０、表示部３０、操作部４０、増幅部５０、入力端子６０を備えて構成されている。また、制御部１０は、ＣＰＵ（Central Processing Unit）１１、ＲＡＭ（Random Access Memory）１２、ＲＯＭ（Read Only Memory）１３、割込コントローラ１４、Ｉ／Ｆ１５、Ｄ／Ａ変換器１６、データ処理部１７、Ａ／Ｄ変換器１８を備えて構成されている。
【００１６】
ＣＰＵ１１は、ＲＯＭ１３等から制御プログラムを読み出してＲＡＭ１２に展開し、当該制御プログラムとの協働により各部の動作の集中制御、及び各種演算を行う。
【００１７】
ＲＡＭ１２は、データを一時記憶する作業用メモリである。
ＲＯＭ１３は、制御プログラム等の各種プログラム、プログラムの実行に必要な制御プログラムなどのデータを記憶している。
【００１８】
割込コントローラ１４は、操作部４０から操作信号が入力されると、ＣＰＵ１１の処理中に割込でその操作信号を出力するよう制御を行う。
【００１９】
Ｉ／Ｆ１５は、外部機器と音声再生装置との間でデータをやりとりするＵＳＢ端子やネットワークインタフェース等を備えるインタフェースである。Ｉ／Ｆ１５は、音声データを保持するＰＣなどのコンピュータや、インターネットなどのネットワークに接続するためのネットワーク機器等の外部機器にケーブルを介して接続され、当該ＰＣ等から出力されたデータを入力し、記憶部２０に出力する。
【００２０】
Ｄ／Ａ変換器１６は、データ処理部１７から入力される音声データ（ディジタル信号）を音声信号（アナログ信号）に変換し、当該音声信号を増幅部５０に出力する。
Ａ／Ｄ変換器１８は、入力端子６０から入力される音声信号（アナログ信号）を音声データ（デジタル信号）に変換し、当該音声データをデータ処理部１７に出力する。
【００２１】
データ処理部１７は、ＣＰＵ１１の制御に従い、再生対象の音声データが入力されると、これをＤ／Ａ変換器１６に出力する。また、保存対象の音声データがＡ／Ｄ変換器１８から入力されると、これをＣＰＵ１１に出力する。
【００２２】
記憶部２０は、ハードディスク等の大容量メモリである。音声再生装置１の再生対象となる音声データをファイル化したもの（以下、単に音声ファイルという。）及び当該音声ファイルのタグ情報をデータベース化したものを記憶している。タグ情報とは、音声ファイルに関する情報であり、トラック名、アルバム名、ジャンル名、アーティスト名等を有している。例えば、ＭＰ３形式のファイルの場合、ＩＤ３情報がタグ情報にあたる。
【００２３】
表示部３０は、ＬＣＤ（Liquid Crystal Display）等のディスプレイを備え、このディスプレイ上に各種操作画面を表示する。
【００２４】
操作部４０は、音声の再生、再生停止、早戻し、早送り、音量調整などの操作を行うための操作部である。操作部４０は、ユーザによる音声再生装置１に備える図示しないボタン等の操作に応じて操作信号を生成し、割込コントローラ１４に出力する。
【００２５】
増幅部５０は、Ｄ／Ａ変換器１６から出力された音声信号の振幅を増減等することによって出力音声の音量を変化させた後、スピーカーやヘッドフォン等の音出力機器に当該音声信号を出力する。音出力機器は、増幅部５０から出力された音声信号を音声として出力する。
【００２６】
入力端子６０は、ＣＤプレイヤー、ＭＤプレイヤー等の外部の音記録再生装置の他、マイク等の音入力機器に接続するための端子である。入力端子を介して音入力機器から入力された音声信号は、Ａ／Ｄ変換器１８によってディジタル化された後、データ処理部１７によってファイル化され、記憶部２０に保存される。
【００２７】
図２は、ＰＣやインターネット等からＩ／Ｆ１５を介して入力された音声データから抽出されたタグ情報及び当該タグ情報が登録されるデータベースの構成を示す概念図である。データベースは、記憶部２０に記憶されている。
【００２８】
ＰＣやインターネット等からＩ／Ｆ１５を介して入力された音声データは、音声ファイルとして記憶部２０に記憶され、当該音声データにタグ情報が付加されている場合には、ＣＰＵ１１によって、当該タグ情報が抽出される。図２に示すように、音声データであるアルバムＸから抽出されたタグ情報は、音楽ファイルに対応して音楽データＡ、音楽データＢ、及び音楽データＣを有する。各音楽データは、当該音楽が記録されていたアルバムに関する情報であるアルバム情報、当該音楽のアーティストに関する情報であるアーティスト情報、当該音楽のジャンルに関する情報であるジャンル情報、及び当該タグ情報を抽出した日時に関する情報であるタイムスタンプ等を有する。
【００２９】
音声データにタグ情報が付加されていない場合には、操作部４０の操作によってタグ情報を入力、或いはＩ／Ｆ１５からタグ情報を別途入力することも可能である。
【００３０】
音声データから抽出等されたタグ情報は、記憶部２０に記憶されたデータベースに登録される。図２に示すように、記憶部２０に記憶されたデータベースは、音楽ファイルに関する情報が登録されたアルバムＤＢ２１、アーティストＤＢ２２、ジャンルＤＢ２３、音楽ＤＢ２４を備える。
【００３１】
アルバムＤＢ２１は、アルバムに関する情報を登録するデータベースである。アルバム１種類に対して１レコードが登録される。アーティストＤＢ２２は、音楽のアーティストに関する情報を登録するデータベースである。アーティスト１種類（１人又は１グループ）に対して１レコードが登録される。ジャンルＤＢ２３は、音楽のジャンルに関する情報を登録するデータベースである。ジャンル１種類に対して１レコードが登録される。音楽ＤＢ２４は、音楽に関する情報を登録するデータベースである。音楽１曲に対して１レコードが登録される。
【００３２】
［音声再生装置の動作］
次に、図３から図５を参照して、記憶部２０に記憶された音声ファイルの初期音量値を設定する際の音声再生装置１の動作について説明する。初期音量値とは、音声ファイルの再生開始時に、増幅部５０から出力された音声信号が音声として音出力機器から出力され際の音量の初期値である。
【００３３】
図３は、音声再生装置１のユーザが音声ファイルの初期音量値を設定する際に、表示部３０に表示される操作画面のイメージ図である。この操作画面は、音声ファイルの再生音量を操作部４０の操作を介して調節した際に表示される。図３に示すように、この操作画面は、ボタンＢ１、ボタンＢ２、及びボタンＢ３を備える。ボタンＢ１は、再生中の音声ファイルの初期音量値のみ、調節後の音量値で設定するためのボタンである。ボタンＢ２は、再生中の音声ファイルと同じアルバムに記録されていた全ての音声ファイルの初期音量値を調整後の音量値で設定するためのボタンである。ボタンＢ３は、調整後の音量値で初期音量値を設定することをキャンセルするためのボタンである。
【００３４】
図４は、ＰＣやインターネット等からＩ／Ｆ１５を介して入力された音声データから抽出されたタグ情報のデータ項目、及び当該タグ情報が登録されたデータベースのデータ構造を示す概念図である。図４に示すように、アルバムＸから抽出されたタグ情報は、音楽データＡ、音楽データＢ、及び音楽データＣを有する。また、抽出されたタグ情報が登録されたデータベースのうち、アルバムＤＢ２１及び音楽ＤＢ２４のデータ構造が示されている。
【００３５】
アルバムＤＢ２１には、アルバムＸに関するタグ情報が設定されたレコードｘが登録されている。アルバムＤＢ２１はデータ項目として例えば、アルバムを一意に特定する「アルバムＩＤ」を有する。音声データの出所を一意に特定するための情報である。音楽ＤＢ２４には、アルバムＸに収録されている音楽に関するタグ情報が設定されたレコードａ、レコードｂ、及びレコードｃが登録されている。音楽データＡ、音楽データＢ、及び音楽データＣが有する情報がそれぞれレコードａ、レコードｂ、及びレコードｃに設定されている。音楽ＤＢ２４は、データ項目として、音楽を一意に特定するための情報である「音楽ＩＤ」、音楽が記録されたアルバムを一意に特定するための情報である「アルバムＩＤ」、音声ファイルの初期音量値を示す情報である「音量」、レコードが音楽ＤＢ２４に登録された日時に関する情報である「タイムスタンプ」を有する。
【００３６】
初期音量値を設定するために、例えば、音楽ＤＢ２４に記録されたレコードｂに対応する音声ファイルの再生中に、初期音量値を設定するために操作部４０の操作によって音量が調節された後、ボタンＢ１が選択されると、制御部１０の制御によってレコードｂが有するデータ項目である「音量」に設定された値が当該調節された音量に応じた値に更新される。
【００３７】
すなわち、再生中の音声ファイルの音量を最適な音量に調節後、当該最適な音量に当該音声ファイルの初期音量値が更新される。
【００３８】
また、ボタンＢ２が選択された場合、制御部１０の制御によってレコードｂの「アルバムＩＤ」の設定値と同じ値が「アルバムＩＤ」に設定されている全てのレコードの「音量」が、調節された音量に応じた値に更新される。
【００３９】
図５は、ボタンＢ２が選択された場合に、制御部１０が行う処理の制御フローを示すフローチャートである。この処理は、操作部４０の操作によって音量が調節され、ボタンＢ２が選択された際に開始する。
【００４０】
まず、再生中の音声ファイルに対応する音楽ＤＢ２４に登録されたレコードに設定された「アルバムＩＤ」の値が取得される（ステップＳ１）。
【００４１】
次いで、ステップＳ１にて取得された「アルバムＩＤ」の値と同じ値が「アルバムＩＤ」に設定されているレコードが音楽ＤＢから検索される（ステップＳ２）。
【００４２】
次いで、ステップＳ２の検索によって得られた全てのレコードに設定された「音量」の値が操作部４０の操作によって調節された音量に対応する値に更新され（ステップＳ３）、この処理は終了する。
【００４３】
この処理によれば、再生中の音声ファイルの音量を調節後、ボタンＢ２が選択されると、当該音声ファイルと同じアルバムに記録されていた全ての音声ファイルの初期音量値が当該調節された音量に自動的に更新される。同じアルバムに記録されていた音声ファイルは、同種の音声（例えば、同じジャンルの音楽。）、又はアナログ音声からディジタル音声データが作成されるまでの過程が同じであることが多く、一つの音声ファイルの最適な音量が他の音声ファイルの最適な音量であることが多い。そのため、このような初期音量値の更新方法は、自動的に初期音量値を更新する方法として有効である。例えば、異なる複数のＣＤ等に記録されていた音声ファイルをランダムな順序で再生するときなどに、このような方法で最適な初期音量値が設定されれば音声再生装置１のユーザは音声ファイルが記録されていたＣＤ等の違いを意識せずに音声を聴くことができ、特に利便性が高い。
【００４４】
本実施の形態では、ボタンＢ２が選択されると、再生中の音声ファイルに対応する「アルバムＩＤ」の設定値と同じ値が「アルバムＩＤ」に設定されている全てのレコードの「音量」を更新することとしたが、この形式に限定されない。例えば、再生中の音声ファイルに対応する「タイムスタンプ」の設定値と同じ値（例えば、年月日、日時が同じ等。）が「タイムスタンプ」に設定されている全てのレコードの「音量」を更新することとしてもよい。タイムスタンプが同じである音声ファイルは、出所等が同じ、又はアナログ音声からディジタル音声データが作成されるまでの過程が同じであることが多く、一つの音声ファイルの最適な音量が他の音声ファイルの最適な音量であることが多いため、初期音量値の自動的に更新する方法として有効である。
【００４５】
また、本実施の形態では、初期音量値の設定対象の音声データは、Ｉ／Ｆ１５から入力され、記憶部２０に記憶された音声データであったが、この形式に限定されない。例えば、入力端子６０から入力された音声データであっても良い。
また、タグ情報のデータ構成は、本実施例の構成に限定されない。
【００４６】
また、上記実施形態では、タグ情報に基づき再生中の音声ファイルと同じアルバムに記録されていた全ての音声ファイルの音量値を更新した例を説明したが、このようなアルバム単位の調整に限らず、ジャンル単位、アーティスト単位など、タグ情報として管理可能な情報単位での音量値の更新をしても良い。
【００４７】
更に、音声ファイルと例に説明したが、これに限らず、音声を含むコンテンツであれば、映像コンテンツの音量値を同様に調整しても良い。
【００４８】
［本実施例の効果］
以上のように、本実施の形態によれば、音声再生装置１は、制御部１０の制御下、操作部４０からの制御信号に応じて増幅部５０によって再生音量が調整された音声ファイルに対応する音楽ＤＢ２４に登録されたレコードに設定された情報に基づいて、当該音声ファイルに関連する音声ファイルに対応する音楽ＤＢ２４に登録されたレコードが有する「音量」の値を更新する。
【００４９】
このような構成とすることで、制御部１０が操作部４０から再生中の音声ファイルの音量の調節をし、初期音量値を更新するための制御信号を受信すると、音楽ＤＢ２４に登録されているレコードのうち、当該音声ファイルに対応するレコードに設定された「アルバムＩＤ」の値と同じ値が「アルバムＩＤ」に設定されている全てのレコードに設定されている「音量」の値が自動的に当該調節された音量に対応する値に更新され、初期音量値の設定が変わる。同じアルバムに記録されていた音声ファイルは、同種の音声（例えば、同じジャンルの音楽。）、又はアナログ音声からディジタル音声データが作成されるまでの過程が同じであることが多く、一つの音声ファイルの最適な音量が他の音声ファイルの最適な音量であることが多い。そのため、このような初期音量値の更新方法は、自動的に初期音量値を更新する方法として有効である。
【００５０】
また、再生中の音声ファイルに対応する「タイムスタンプ」の設定値と同じ値（例えば、年月日、日時が同じ等。）が「タイムスタンプ」に設定されている全てのレコードの「音量」の値が自動的に当該調節された音量に対応する値に更新され、初期音量値の設定が変わる。タイムスタンプが同じである音声ファイルは、出所等が同じ、又はアナログ音声からディジタル音声データが作成されるまでの過程が同じであることが多く、一つの音声ファイルの最適な音量が他の音声ファイルの最適な音量であることが多いため、初期音量値の自動的に更新する方法として有効である。
【図面の簡単な説明】
【００５１】
【図１】音声再生装置の構成を示すブロック図である。
【図２】音声再生装置に入力された音声データから抽出されたタグ情報及び当該タグ情報が登録されるデータベースの構成を示す概念図である。
【図３】音声再生装置のユーザが音声ファイルの初期音量値を設定する際に、表示部に表示される操作画面のイメージ図である。
【図４】音声再生装置に入力された音声データから抽出されたタグ情報のデータ項目、及び当該タグ情報が登録されたデータベースのデータ構造を示す概念図である。
【図５】制御部が行う処理の制御フローを示すフローチャートである。
【符号の説明】
【００５２】
１  音声再生装置
１０  制御部
１１  ＣＰＵ
１２  ＲＡＭ
１３  ＲＯＭ
１４  割込コントローラ
１５  Ｉ／Ｆ
１６  Ｄ／Ａ変換器
１７  データ処理部
１８  Ａ／Ｄ変換器
２０  記憶部
３０  表示部
４０  操作部
５０  増幅部
６０  入力端子
【図１】
2008226351.tif 000003
【図２】
2008226351.tif 000004
【図３】
2008226351.tif 000005
【図４】
2008226351.tif 000006
【図５】
2008226351.tif 000007